(57)【要約】【課題】発光素子の配置パターン等の設計の自由度を低下させず、かつ、支持部材との位置関係を適切に規制することのできる発光装置を提供すること。【解決手段】ＬＥＤモジュール２０であって、基板２１と、基板２１に配置されたＬＥＤ２２と、基板２１のＬＥＤ２２とが配置された面とは反対側の裏面に突出状に設けられた、基板２１とは別体の位置規制部材２５であって、当該裏面と当接してＬＥＤモジュール２０を支持する支柱４０の当該裏面上における位置を規制する位置規制部材２５とを備える。【選択図】図２
2014116095.tif 000002
【特許請求の範囲】
【請求項１】
発光装置であって、
基板と、
前記基板に配置された発光素子と、
前記基板の前記発光素子が配置された面とは反対側の裏面に突出状に設けられた、前記基板とは別体の位置規制部材であって、前記裏面と当接して前記発光装置を支持する支持部材の前記裏面上における位置を規制する位置規制部材と
を備える発光装置。
【請求項２】
さらに、前記発光素子を封止する封止部材であって、前記発光素子が発する光の波長を変換する波長変換材を含む波長変換材含有材料で形成された封止部材を備え、
前記位置規制部材は、前記波長変換材含有材料で形成されている
請求項１記載の発光装置。
【請求項３】
前記位置規制部材は、前記支持部材の端面の形状に沿って配置された少なくとも２つの部分で構成されている
請求項１または２に記載の発光装置。
【請求項４】
前記位置規制部材は、前記支持部材の前記端面の形状に応じた環状に形成されている
請求項１または２に記載の発光装置。
【請求項５】
前記位置規制部材はさらに、前記支持部材の前記端面から径方向に延設された突出部に対応する凹部を有する
請求項１〜４のいずれか１項に記載の発光装置。
【請求項６】
前記位置規制部材はさらに、前記支持部材の前記端面の周縁から径方向に陥凹状に設けられた陥凹部に対応する凸部を有する
請求項１〜４のいずれか１項に記載の発光装置。
【請求項７】
請求項１〜６のいずれか１項に記載の発光装置と、
透光性のグローブと、
前記グローブの内方に向かって延びるように設けられた前記支持部材とを備え、
前記発光装置は、前記グローブ内に配置されるように前記支持部材の前記端面と接続されている
照明用光源。
【発明の詳細な説明】
【技術分野】
【０００１】
本発明は、半導体発光素子等の発光素子を備える発光装置および照明用光源に関する。
【背景技術】
【０００２】
ＬＥＤ（Ｌｉｇｈｔ  Ｅｍｉｔｔｉｎｇ  Ｄｉｏｄｅ）等の半導体発光素子は、高効率および長寿命であることから、各種ランプの新しい光源として期待されており、ＬＥＤを光源とするＬＥＤランプの研究開発が進められている。
【０００３】
ＬＥＤランプとしては、電球形蛍光灯および白熱電球に代替する電球形のＬＥＤランプ（電球形ＬＥＤランプ）がある。電球形ＬＥＤランプでは、基板と、基板上に実装された複数のＬＥＤとを備えるＬＥＤモジュールが用いられる。例えば、特許文献１には、従来の電球形ＬＥＤランプが開示されている。
【先行技術文献】
【特許文献】
【０００４】
【特許文献１】特開２００６−３１３７１７号公報
【発明の概要】
【発明が解決しようとする課題】
【０００５】
近年、発光特性や外観を白熱電球に模した構成の電球形ＬＥＤランプが検討されている。例えば、白熱電球に用いられるグローブ（ガラスバルブ）を用いて、当該グローブ内の中心位置に、発光装置であるＬＥＤモジュールを中空状態で保持する構成の電球形ＬＥＤランプが提案されている。
【０００６】
より具体的には、グローブの開口からグローブの中心に向かって延設された支柱（ステム）を用いて、この支柱の端面にＬＥＤモジュールを設置する。
【０００７】
ここで、ＬＥＤモジュールを支柱等の支持部材の端面に設置する場合、従来、例えばＬＥＤモジュールの基板に設けられた孔に、支持部材の端面からＬＥＤモジュールの方向に突出して設けられた突起を嵌合させることで、ＬＥＤモジュールと支柱の端面との位置関係が規制される。
【０００８】
しかしながらこの場合、基板に位置規制のための孔が存在することにより、例えば、基板上のＬＥＤの配置パターンおよび配線パターン等の設計の自由度が制限されるという問題がある。
【０００９】
本発明は、上記従来の課題を考慮し、発光素子の配置パターン等の設計の自由度を低下させず、かつ、支持部材との位置関係を適切に規制することのできる発光装置、および、当該発光装置を備える照明用光源を提供することを目的とする。
【課題を解決するための手段】
【００１０】
上記目的を達成するために、本発明の一態様に係る発光装置は、基板と、前記基板に配置された発光素子と、前記基板の前記発光素子が配置された面とは反対側の裏面に突出状に設けられた、前記基板とは別体の位置規制部材であって、前記裏面と当接して前記発光装置を支持する支持部材の前記裏面上における位置を規制する位置規制部材とを備える。
【００１１】
また、本発明の一態様に係る発光装置はさらに、前記発光素子を封止する封止部材であって、前記発光素子が発する光の波長を変換する波長変換材を含む波長変換材含有材料で形成された封止部材を備え、前記位置規制部材は、前記波長変換材含有材料で形成されているとしてもよい。
【００１２】
また、本発明の一態様に係る電球形ランプにおいて、前記位置規制部材は、前記支持部材の端面の形状に沿って配置された少なくとも２つの部分で構成されているとしてもよい。
【００１３】
また、本発明の一態様に係る発光装置において、前記位置規制部材は、前記支持部材の前記端面の形状に応じた環状に形成されているとしてもよい。
【００１４】
また、本発明の一態様に係る発光装置において、前記位置規制部材はさらに、前記支持部材の前記端面から径方向に延設された突出部に対応する凹部を有するとしてもよい。
【００１５】
また、本発明の一態様に係る発光装置において、前記位置規制部材はさらに、前記支持部材の前記端面の周縁から径方向に陥凹状に設けられた陥凹部に対応する凸部を有するとしてもよい。
【００１６】
また、本発明の一態様に係る照明用光源は、上記いずれかの態様の発光装置と、透光性のグローブと、前記グローブの内方に向かって延びるように設けられた前記支持部材とを備え、前記発光装置は、前記グローブ内に配置されるように前記支持部材の前記端面と接続されている。
【発明の効果】
【００１７】
本発明によれば、発光素子の配置パターン等の設計の自由度を低下させず、かつ、支持部材との位置関係を適切に規制することのできる発光装置、および、当該発光装置を備える照明用光源を提供することができる。
【図面の簡単な説明】
【００１８】
【図１】図１は、実施の形態に係る電球形ランプの側面図である。
【図２】図２は、実施の形態に係る電球形ランプの分解斜視図である。
【図３】図３は、実施の形態に係る電球形ランプの断面図である。
【図４】図４は、実施の形態に係るＬＥＤモジュールの構成を示す図である。
【図５】図５は、実施の形態の変形例１に係る位置規制部材の各種の形状を示す図である。
【図６】図６は、実施の形態の変形例２に係る位置規制部材の各種の形状を示す図である。
【図７】図７は、断面が矩形である位置規制部材の一例を示す図である。
【図８】図８は、外形が矩形である位置規制部材の一例を示す図である。
【図９】図９は、支柱の回転位置を規制する構成を有する位置規制部材の一例を示す図である。
【発明を実施するための形態】
【００１９】
以下、本発明の実施の形態について、図面を参照しながら説明する。なお、各図は、模式図であり、必ずしも厳密に図示したものではない。
【００２０】
また、以下で説明する実施の形態は、本発明の一具体例を示すものである。以下の実施の形態で示される数値、形状、材料、構成要素、構成要素の配置位置および接続形態などは一例であり、本発明を限定する主旨ではない。また、以下の実施の形態における構成要素のうち、独立請求項に記載されていない構成要素については、任意の構成要素として説明される。
【００２１】
［電球形ランプの全体構成］
まず、本発明の実施の形態に係る電球形ランプ１の全体構成について、図１〜図３を参照しながら説明する。
【００２２】
図１は、実施の形態に係る電球形ランプ１の側面図である。図２は、実施の形態に係る電球形ランプ１の分解斜視図である。図３は、実施の形態に係る電球形ランプ１の断面図である。
【００２３】
なお、図１において、紙面上下方向に沿って描かれた一点鎖線は電球形ランプ１のランプ軸Ｊ（中心軸）を示している。ランプ軸Ｊとは、電球形ランプ１を照明装置（不図示）のソケットに取り付ける際の回転中心となる軸であり、口金３０の回転軸と一致している。
【００２４】
また、図３において、点灯回路８０については断面図ではなく側面図である。
【００２５】
電球形ランプ１は、照明用光源の一例であり、電球形蛍光灯または白熱電球の代替品となる電球形ＬＥＤランプである。
【００２６】
電球形ランプ１は、透光性のグローブ１０と、光源であるＬＥＤモジュール２０と、ランプ外部から電力を受ける口金３０と、支柱４０と、支持板５０と、樹脂ケース６０と、リード線７０と、点灯回路８０とを備える。
【００２７】
電球形ランプ１は、グローブ１０と樹脂ケース６０と口金３０とによって外囲器が構成されている。
【００２８】
以下、本実施の形態に係る電球形ランプ１の各構成要素について説明する。
【００２９】
［グローブ］
グローブ１０は、ＬＥＤモジュール２０を収納するとともに、ＬＥＤモジュール２０からの光をランプ外部に透過させる透光性カバーである。グローブ１０の内面に入射したＬＥＤモジュール２０の光は、グローブ１０を透過してグローブ１０の外部へと取り出される。
【００３０】
本実施の形態におけるグローブ１０は、ＬＥＤモジュール２０からの光に対して透明な材料から構成されている。このようなグローブ１０としては、例えば、可視光に対して透明なシリカガラス製のガラスバルブ（クリアバルブ）が採用される。
【００３１】
この場合、グローブ１０内に収納されたＬＥＤモジュール２０は、グローブ１０の外側から視認することができる。
【００３２】
なお、グローブ１０は、必ずしも可視光に対して透明である必要はなく、グローブ１０に光拡散機能を持たせてもよい。例えば、シリカや炭酸カルシウム等の光拡散材を含有する樹脂や白色顔料等をグローブ１０の内面または外面の全面に塗布することによって乳白色の光拡散膜を形成してもよい。また、グローブ１０の材質としては、ガラス材に限らず、アクリル（ＰＭＭＡ）またはポリカーボネート（ＰＣ）等の合成樹脂等による樹脂材を用いてもよい。
【００３３】
［ＬＥＤモジュール］
ＬＥＤモジュール２０は、発光素子の一例であるＬＥＤ（ＬＥＤチップ）２２を有し、リード線７０を介してＬＥＤ２２に電力が供給されることにより発光する発光モジュール（発光装置）である。
【００３４】
ＬＥＤモジュール２０は、支持部材の一例である支柱４０によってグローブ１０内で保持されている。
【００３５】
ＬＥＤモジュール２０は、グローブ１０によって形成される球形状の中心位置（例えば、グローブ１０の内径が大きい径大部分の内部）に配置されることが好ましい。
【００３６】
このように、グローブ１０の中心位置にＬＥＤモジュール２０が配置されることにより、電球形ランプ１の配光特性は、従来のフィラメントコイルを用いた一般的な白熱電球と近似した配光特性となる。
【００３７】
また、本実施の形態のＬＥＤモジュール２０は、基板２１と、基板２１の主面に配置されたＬＥＤ２２と、基板２１の主面とは反対側の面である裏面に突出状に設けられた位置規制部材２５とを備える。
【００３８】
基板２１は、例えば厚さ１ｍｍ程度の基板である。本実施の形態では、例えば白色アルミナ基板が基板２１として採用される。
【００３９】
なお、ＬＥＤモジュール２０が備える基板２１の素材はアルミナに限定されない。例えば、窒化アルミニウムからなる透光性セラミックス基板、透明なガラス基板、水晶からなる基板、サファイア基板、または樹脂製の基板などが基板２１として採用され得る。
【００４０】
また、リジッド基板ではなく、フレキシブル基板、またはリジッドフレキシブル基板を基板２１として採用することもできる。
【００４１】
また、本実施の形態では、基板２１の主面に１列に並べられた複数のＬＥＤ２２は、図示しない配線で例えば直列に接続されており、その両端に設けられた電極を介して通電することで発光する。
【００４２】
これらＬＥＤ２２のそれぞれは、単色の可視光を発するベアチップであり、透光性のダイアタッチ剤（ダイボンド剤）によって基板２１の主面にダイボンディングされている。つまり、本実施の形態に係るＬＥＤモジュール２０は、ＣＯＢ（Ｃｈｉｐ  Ｏｎ  Ｂｏａｒｄ）構造である。
【００４３】
各ＬＥＤ２２としては、例えば青色光を発光する青色ＬＥＤチップが採用される。青色ＬＥＤチップとしては、例えばＩｎＧａＮ系の材料によって構成された、中心波長が４４０ｎｍ〜４７０ｎｍの窒化ガリウム系の半導体発光素子が用いられる。
【００４４】
また、本実施の形態におけるＬＥＤモジュール２０はさらに、ＬＥＤ２２を封止する封止部材２３を備えている。
【００４５】
具体的には、封止部材２３は、１列に並べられた複数のＬＥＤ２２を一括封止するとともに、ＬＥＤ２２が発する光の波長を変換する波長変換材を有する。
【００４６】
つまり、封止部材２３は、波長変換材を含む波長変換材含有材料で形成されている。本実施の形態では、封止部材２３は、所定の樹脂の中に、波長変換材として所定の蛍光体粒子が含有された蛍光体含有樹脂によって形成されている。
【００４７】
なお、所定の樹脂としては、例えばシリコーン樹脂等の透光性材料が採用される。また、所定の蛍光体粒子としては、例えばＹＡＧ（イットリウム・アルミニウム・ガーネット）系の黄色蛍光体粒子が採用される。
【００４８】
この黄色蛍光体粒子は、ＬＥＤ２２からの青色光によって励起されると黄色光を放出する。その結果、当該黄色光とＬＥＤ２２からの青色光とによって得られる白色光が放出される。
【００４９】
なお、本実施の形態では、図１および図２に示すように、基板２１の主面に複数のＬＥＤ２２が２列に並べられており、これに対応して、主面側に２列の封止部材２３が設けられている。しかし、封止部材２３の列数は２に限定されない。例えば、１または３以上の列に並べられたＬＥＤ２２に対応して、１列または３列以上の封止部材２３が基板２１に配置されてもよい。
【００５０】
このような構成を有するＬＥＤモジュール２０は、支柱４０の端面４５に設置される際に、基板２１の裏面に配置された位置規制部材２５によって位置決めされる。位置規制部材２５については、図４を用いて後述する。
【００５１】
［口金］
口金３０は、ＬＥＤモジュール２０のＬＥＤを発光させるための電力を電球形ランプ１の外部から受ける受電部である。口金３０は、二接点によって交流電力を受電し、口金３０で受電した電力はリード線を介して点灯回路８０の電力入力部に入力される。
【００５２】
例えば、口金３０には商用電源（ＡＣ１００Ｖ）から交流電力が供給される。具体的には、口金３０は、照明器具（照明装置）のソケットに取り付けられてソケットから交流電力を受ける。これにより、電球形ランプ１（ＬＥＤモジュール２０）が点灯する。
【００５３】
口金３０の種類は、特に限定されるものではないが、本実施の形態では、ねじ込み型のエジソンタイプ（Ｅ型）の口金を用いている。また、口金３０と採用されるＥ型の口金としては、例えば、Ｅ２６形、Ｅ１７形、またはＥ１６形等がある。
【００５４】
［支柱］
支柱４０は、グローブ１０の開口部１１の近傍からグローブ１０の内方に向かって延びるように設けられた金属製のステム（金属支柱）である。
【００５５】
支柱４０は、グローブ１０内でＬＥＤモジュール２０を支持する支持部材として機能する。支柱４０の一端はＬＥＤモジュール２０に接続され、他端は支持板５０に接続されている。
【００５６】
支柱４０は、ＬＥＤモジュール２０で発生する熱を口金３０側に放熱させるための放熱部材としても機能する。従って、支柱４０を熱伝導率の高い金属材料、例えば熱伝導率が約２３７［Ｗ／ｍ・Ｋ］のアルミニウム（Ａｌ）を主成分として構成することで、支柱４０による放熱効率を高めることができる。
【００５７】
その結果、温度上昇によるＬＥＤ２２の発光効率および寿命の低下を抑制することができる。
【００５８】
支柱４０の金属材料としては、アルミニウム合金の他に、銅（Ｃｕ）または鉄（Ｆｅ）等が採用されてもよい。また、支柱４０の素材として金属ではなく樹脂が採用されてもよい。
【００５９】
例えば、支柱４０の素材として、アクリルまたは透明セラミックス等の透明性の高い材料が採用された場合、ＬＥＤモジュール２０から発せられた光を、支柱４０を透過させてグローブ１０の外方に放出させることも可能である。
【００６０】
また、支柱４０として、樹脂等からなる支柱の表面に金属膜を形成したものが採用されてもよい。
【００６１】
支柱４０は、本実施の形態では断面積が一定の円柱状の部材である。支柱４０は、ＬＥＤモジュール２０が固定される端面４５を有し、この端面４５がＬＥＤモジュール２０の基板２１の裏面と当接してＬＥＤモジュール２０を支持する。
【００６２】
具体的には、ＬＥＤモジュール２０と支柱４０の端面４５とは、例えばシリコーン樹脂等の樹脂の接着剤により接着される。
【００６３】
このように、本実施の形態では、ＬＥＤモジュール２０は、基板２１の裏面が支柱４０の端面４５と当接した状態で支柱４０に支持されている。これにより、ＬＥＤモジュール２０の放熱効率が高められ、その結果、温度上昇によるＬＥＤ２２の発光効率の低下および寿命の低下を抑制することができる。
【００６４】
なお、支柱４０の形状は円柱状に限定されず、例えば角柱状でもよい。また、例えば、支柱４０のＬＥＤモジュール２０側の端部が、ＬＥＤモジュール２０に近づくに従って断面積が大きくなるような形状であってもよい。
【００６５】
［支持板］
支持板５０は、支柱４０を支持する部材であり、樹脂ケース６０に固定されている。支持板５０は、グローブ１０の開口部１１の開口端に接続されてグローブ１０の開口部１１を塞ぐように配置されている。
【００６６】
具体的には、支持板５０は、周縁に段差部を有する円盤状部材であり、その段差部にはグローブ１０の開口部１１の開口端が当接されている。そして、この段差部において、支持板５０と樹脂ケース６０とグローブ１０の開口部１１の開口端とは、接着剤によって固着されている。
【００６７】
支持板５０は、支柱４０と同様に、アルミニウム等の熱伝導率の高い金属材料により構成されることで、支持板５０による支柱４０を熱伝導したＬＥＤモジュール２０の熱の放熱効率が高められる。その結果、温度上昇によるＬＥＤの発光効率の低下および寿命の低下をさらに抑制することができる。なお、支持板５０と支柱４０とは同一の金型により一体的に成形されていてもよい。
【００６８】
［樹脂ケース］
樹脂ケース６０は、支柱４０と口金３０とを絶縁すると共に点灯回路８０を収納するための絶縁ケース（回路ホルダ）である。樹脂ケース６０は、大径円筒状の第１ケース部６１と、小径円筒状の第２ケース部６２とから構成されている。樹脂ケース６０は、例えば、ポリブチレンテレフタレート（ＰＢＴ）によって成形されている。
【００６９】
第１ケース部６１の外表面は外気に露出しているので、樹脂ケース６０に伝導した熱は、主に第１ケース部６１から放熱される。第２ケース部６２は、外周面が口金３０の内周面と接触するように構成されており、第２ケース部６２の外周面には口金３０と螺合するための螺合部が形成されている。
【００７０】
［リード線］
２本のリード線７０は、ＬＥＤモジュール２０を点灯させるための電力を点灯回路８０からＬＥＤモジュール２０に供給するためのリード線対である。リード線７０として、例えば銅線等の針金状の金属電線が絶縁性樹脂で被覆された電線が採用される。
【００７１】
各リード線７０は、グローブ１０内に配置され、一端がＬＥＤモジュール２０の外部端子と電気的に接続され、他端が点灯回路８０の電力出力部と電気的に接続されている。言い換えると、当該他端は口金３０と電気的に接続されている。
【００７２】
［点灯回路］
点灯回路８０は、ＬＥＤモジュール２０のＬＥＤを点灯させるための駆動回路（回路ユニット）であり、樹脂ケース６０によって覆われている。点灯回路８０は、口金３０から給電された交流電力を直流電力に変換し、２本のリード線７０を介して変換後の直流電力をＬＥＤモジュール２０のＬＥＤに供給する。
【００７３】
点灯回路８０は、例えば、回路基板と、回路基板に実装された複数の回路素子（電子部品）とによって構成される。回路基板は、金属配線がパターン形成されたプリント基板であり、当該回路基板に実装された複数の回路素子同士を電気的に接続する。本実施の形態において、回路基板は、複数の回路素子が配置された主面がランプ軸と直交する姿勢で配置されている。
【００７４】
また、複数の回路素子は、例えば、各種コンデンサ、抵抗素子、整流回路素子、コイル素子、チョークコイル（チョークトランス）、ノイズフィルタ、ダイオード、または集積回路素子などで構成される。
【００７５】
なお、電球形ランプ１は、必ずしも点灯回路８０を備える必要はない。例えば、照明器具または電池等から電球形ランプ１に直接直流電力が供給される場合には、電球形ランプ１は、点灯回路８０を備えなくてもよい。また、点灯回路８０は、平滑回路に限られるものではなく、調光回路および昇圧回路等を適宜選択し組み合わせることで構成することができる。
【００７６】
［位置規制部材］
次に、本実施の形態に係るＬＥＤモジュール２０が備える位置規制部材２５について図４を用いて説明する。
【００７７】
図４は、実施の形態に係るＬＥＤモジュール２０の構成を示す図である。
【００７８】
なお、図４の（ａ）は、ＬＥＤモジュール２０を基板２１の裏面側から見た場合の斜視図であり、図４の（ｂ）は、ＬＥＤモジュール２０の、図４の（ａ）におけるＡ−Ａ断面を示す図である。
【００７９】
図４の（ａ）に示すように、ＬＥＤモジュール２０の基板２１の裏面には、位置規制部材２５が設けられている。
【００８０】
位置規制部材２５は、基板２１とは別体であり、基板２１の裏面と当接してＬＥＤモジュール２０を支持する支柱４０の、基板２１の裏面上における位置を規制する部材である。
【００８１】
具体的には、位置規制部材２５によって、支柱４０の、基板２１の裏面上における２次元位置が規制される。
【００８２】
本実施の形態では、位置規制部材２５は、封止部材２３と同じ材料で形成されている。つまり、位置規制部材２５は、上述の蛍光体含有樹脂で形成されている。
【００８３】
すなわち、封止部材２３の形成のために蛍光体含有樹脂を複数のＬＥＤ２２の上方から塗布するディスペンサを用いて、位置規制部材２５を基板２１の裏面に形成することができる。言い換えると、封止部材２３の形成のための装置および材料と、位置規制部材２５の形成のための装置および材料とを共通化できる。
【００８４】
従って、ＬＥＤモジュール２０の生産において、位置規制部材２５の形成のためだけに用いられるディスペンサ等の装置および樹脂等の材料を用意する必要がない。このことは、ＬＥＤモジュール２０の生産効率および生産コストの観点から有利である。
【００８５】
また、本実施の形態では、位置規制部材２５は、図４の（ａ）および（ｂ）に示すように、支柱４０の端面４５の形状（円形）に応じた環状に形成されている。つまり、位置規制部材２５は、基板２１の裏面に円環状に形成されている。
【００８６】
この位置規制部材２５により、ＬＥＤモジュール２０を支柱４０に取り付ける際の、支柱４０の基板２１の裏面上における位置が規制される。言い換えると、ＬＥＤモジュール２０と支柱４０との接続工程おいて、ＬＥＤモジュール２０の支柱４０に対する位置決めが適切になされる。
【００８７】
また、ＬＥＤモジュール２０と支柱４０とが、上述のように接着剤で接続される場合、接着剤の乾燥を促すために、乾いていない接着剤が間に介在した状態のＬＥＤモジュール２０および支柱４０に風を当てる場合がある。
【００８８】
このような場合であっても、ＬＥＤモジュール２０に位置規制部材２５が配置されていることにより、ＬＥＤモジュール２０の支柱４０の端面４５に対するずれの発生が抑制される。
【００８９】
また、例えば、支柱４０が、ＬＥＤ２２の発光に伴う熱により径方向に膨張した場合を想定する。この場合であっても、位置規制部材２５が、上述のようにシリコーン樹脂等の樹脂を含む材料で形成され、かつ、当該樹脂が変形能を有するため、例えば、支柱４０の膨張に伴って位置規制部材２５が破壊されることが防止される。
【００９０】
また、支柱４０が径方向に膨張した場合、例えば、支柱４０の端面４５の周縁部分と位置規制部材２５との接触面積が増加し、その結果、ＬＥＤモジュール２０から支柱４０への熱の熱伝導量が増加するという効果も生じ得る。
【００９１】
また、位置規制部材２５の素材として弾性のある樹脂（例えばシリコーン樹脂）を採用した場合、例えば支柱４０が熱膨張することで位置規制部材２５が応力を受けても、当該応力を緩和することが出来る。
【００９２】
なお、この効果は、位置規制部材２５が支柱４０の端面４５の周囲を完全に囲う場合のみならず、例えば規制部材２５が２つの点状部分で構成され、これら２つの点状部分によって支柱４０の位置を規制する場合も同様に発揮される。複数の部分で構成される位置部材部材など、位置規制部材の各種の変形例については、図５〜図９を用いて後述する。
【００９３】
また、位置規制部材２５の断面は、本実施の形態では、例えば図４の（ｂ）に示すように、基板２１に向かって傾斜した部分（支柱４０に近づくに従って厚みが小さくなる部分）を有している。すなわち、位置規制部材２５の断面は、単純な矩形、またはステップ形状ではない。
【００９４】
これにより、位置規制部材２５は、支柱４０を基板２１の裏面に取り付ける際に、単なる支柱４０の位置決めの役割だけではなく、当該取り付けのためのガイドの役割も果たす。
【００９５】
また、位置規制部材２５を基板２１とは別体の部材として基板２１に配置することで、基板２１の裏面における位置規制部材２５の目視による判別が容易化される。つまり、位置規制部材２５が基板２１と一体である場合と比べて、支柱４０の基板への取り付け精度が向上する。
【００９６】
なお、封止部材２３および位置規制部材２５を形成する波長変換材含有材料の一部として、上記のシリコーン樹脂ではなく、フッ素系樹脂等の有機材を用いてもよく、低融点ガラスまたはゾルゲルガラス等の無機材等を用いてもよい。また、波長変換材含有材料に、シリカ粒子等の光拡散材が分散されていてもよい。
【００９７】
例えば、位置規制部材２５は、無機材料からなる焼結用結合材を有する焼結体膜として基板２１の裏面に備えられてもよい。
【００９８】
以上のように、本実施の形態に係るＬＥＤモジュール２０は、基板２１と、基板２１の主面に配置されたＬＥＤ２２と、基板２１の主面とは反対側の面である裏面に突出状に設けられた位置規制部材２５とを備える。
【００９９】
位置規制部材２５は、基板２１とは別体としてＬＥＤモジュール２０に設けられており、支柱４０の、基板２１の裏面上における位置を規制することができる。
【０１００】
つまり、ＬＥＤモジュール２０では、従来のＬＥＤモジュール（従来の発光装置）のように、基板２１に、支持部材（支柱４０）に対する位置規制のための孔を配置する必要がない。
【０１０１】
そのため、例えば、基板２１の主面上におけるＬＥＤ２２および配線の配置を自由にレイアウトすることが可能である。
【０１０２】
また、基板２１の裏面に、接続相手となる支柱４０の端面形状に応じた態様（サイズ、および、レイアウト等）の位置規制部材２５を配置すればよいため、一種類かつ複数の基板２１のそれぞれを、様々な端面形状の支柱４０に取り付けることができる。
【０１０３】
また、位置規制部材２５を、ＬＥＤ２２を封止する封止部材２３と同一の材料によって形成することができるため、時間的およびコスト的に効率よくＬＥＤモジュール２０の生産を行うことができる。
【０１０４】
また、本実施の形態の電球形ランプ１は、ＬＥＤモジュール２０と、透光性のグローブ１０と、グローブ１０の内方に向かって延びるように設けられた支柱４０とを備え、ＬＥＤモジュール２０は、グローブ１０内に配置されるように支柱４０の端面４５に固定されている。
【０１０５】
この構成により、例えば、白熱電球に近似した配光特性を有する電球形ランプ１が実現される。
【０１０６】
（変形例１）
次に、実施の形態の変形例１として、支柱４０の端面４５の形状が実施の形態と同じく円形である場合に採用し得る、位置規制部材の各種の形状例を説明する。
【０１０７】
図５は、実施の形態の変形例１に係る位置規制部材の各種の形状を示す図である。
【０１０８】
なお、図５において、支柱４０の端面４５の形状は、点線の円（端面形状４５ａ）で表されている。
【０１０９】
図５の（ａ）に示す位置規制部材２５ａは、端面形状４５ａに沿って環状に配置されており、かつ、その一部を欠いている。つまり、位置規制部材２５ａは、一部を欠いた円環状（Ｃ形）に配置されている。
【０１１０】
位置規制部材２５ａは、一部を欠いた円環状であっても、その長さ（円弧に沿った長さ）が、当該円環の半周に相当する円弧よりも長ければ、支柱４０の基板２１の裏面上における位置の規制は可能である。
【０１１１】
図５の（ｂ）に示す位置規制部材２５ｂは、端面形状４５ａに沿って配置された２つの部分で構成されている。
【０１１２】
具体的には、位置規制部材２５ｂは、円環状である端面形状４５ａに沿って配置された、２つの円弧部分で構成されている。
【０１１３】
位置規制部材２５ｂは、分割された２つの円弧部分で構成されている場合であっても、これら２つの円弧部分のそれぞれが、円である端面形状４５ａの中心を通る１本の直線と交差する位置に配置されていれば、支柱４０の基板２１の裏面上における位置の規制は可能である。
【０１１４】
図５の（ｃ）に示す位置規制部材２５ｃは、端面形状４５ａに沿って配置された複数の点状部分で構成されている。
【０１１５】
具体的には、位置規制部材２５ｃは、円環状である端面形状４５ａに沿って配置された、１２個の点状部分で構成されている。
【０１１６】
位置規制部材２５ｃは、複数の点状部分で構成されている場合であっても、これら点状部分が支柱４０の端面４５を囲むように配置されていれば、支柱４０の基板２１の裏面上における位置の規制は可能である。
【０１１７】
より詳細には、少なくとも３つの点状部分を配置することで、支柱４０の基板２１の裏面上における位置を、ＸＹ平面に平行な全方向について規制することは可能である。
【０１１８】
図５の（ｄ）に示す位置規制部材２５ｄは、円環状である端面形状４５ａに沿って配置された３つの点状の部分で構成されている。
【０１１９】
位置規制部材２５ｄは、３つの点状部分のみで構成されている場合であっても、これら３つの点状部分のうちの１つの点状部分と、円である端面形状４５ａの中心とを通る直線を挟んで左右に１つずつ点状部分が配置されていれば、支柱４０の基板２１の裏面上における位置の規制、より詳細には、ＸＹ平面に平行な全方向への位置の規制は可能である。
【０１２０】
また、例えば、位置規制部材２５ｄは、２つの点状部分のみで構成されていてもよい。
【０１２１】
図５の（ｅ）および（ｆ）のそれぞれに示す位置規制部材２５ｄは、端面形状４５ａに沿って配置された２つの点状の部分で構成されている。
【０１２２】
具体的には、図５の（ｅ）に示す位置規制部材２５ｄは、円環状である端面形状４５ａの中心を通る直線上に２つの点状部分が配置されている。つまり、当該２つの点状部分は、これらの距離が、支柱４０の端面４５の直径と一致するように配置されている。
【０１２３】
従って、ＬＥＤモジュール２０を支柱４０の端面４５に取り付ける際に、当該２つの点状部分の双方に端面４５の周縁が接触するように取り付けることで、支柱４０が、ＬＥＤモジュール２０の裏面の適切な位置に固定される。
【０１２４】
図５の（ｆ）に示す位置規制部材２５ｄでは、２つの点状部分が、当該２つの点状部分と端面形状４５ａの中心とを結ぶ２つの直線が直角になるように、こられ２つの点状部分が配置されている。
【０１２５】
この場合、ＬＥＤモジュール２０を支柱４０の端面４５に取り付ける際に、当該２つの点状部分の双方に端面４５の周縁を押し当てるようにして取り付けることで、支柱４０が、ＬＥＤモジュール２０の裏面の適切な位置に固定される。
【０１２６】
なお、２つの点状部分と、端面形状４５ａの中心とを結ぶ２つの直線がなす角度は直角（９０度）である必要はない。当該角度が０度より大きく、１８０度より小さい角度であれば、当該２つの点状部分の双方に端面４５の周縁を押し当てるようにして、ＬＥＤモジュール２０を支柱４０に取り付けることができる。
【０１２７】
このように、位置規制部材２５ｄは、２つの点状部分のみで構成されている場合であっても、支柱４０の基板２１の裏面上における位置の規制は可能である。また、このように、２つの点状部分のみで位置規制部材２５ｄを構成することで、位置規制部材２５ｄの素材である蛍光体含有樹脂等の材料の使用量を、より削減することができる。
【０１２８】
（変形例２）
次に、実施の形態の変形例２として、支柱４０の端面４５の形状が矩形である場合に採用し得る、位置規制部材の各種の形状例を説明する。
【０１２９】
図６は、実施の形態の変形例２に係る位置規制部材の各種の形状を示す図である。
【０１３０】
なお、図６において、支柱４０の端面４５の形状は、点線の矩形（端面形状４５ｂ）で表されている。
【０１３１】
図６の（ａ）に示す位置規制部材２５ｅは、矩形である端面形状４５ｂに応じた環状に形成されている。つまり、位置規制部材２５ｅは、基板２１の裏面に角環状に形成されている。
【０１３２】
このように、位置規制部材２５ｅは、支持部材である支柱４０の端面４５の形状が円以外の形状であっても、当該形状に応じた環状に形成することで、支柱４０の、基板２１の裏面上における位置の規制は可能である。
【０１３３】
図６の（ｂ）に示す位置規制部材２５ｆは、端面形状４５ｂに沿って配置された複数の部分で構成されている。
【０１３４】
具体的には、位置規制部材２５ｆは、矩形である端面形状４５ｂの４辺それぞれに沿って配置された４個の部分で構成されている。
【０１３５】
位置規制部材２５ｆは、分割された複数の部分で構成されている場合であっても、これら複数の部分が矩形である端面４５の各辺に沿って配置されていれば、矩形の端面形状４５ｂを有する支柱４０の基板２１の裏面上における位置の規制は可能である。
【０１３６】
図６の（ｃ）に示す位置規制部材２５ｇは、端面形状４５ｂに沿って配置された２つの部分で構成されている。
【０１３７】
具体的には、位置規制部材２５ｇは、端面形状４５ｂの対角線上に配置された、２つのＬ字部分で構成されている。
【０１３８】
位置規制部材２５ｇは、分割された２つの部分のみで構成されている場合であっても、２つの部分が、矩形である端面４５の対角線上の２つの角を挟むように配置されていれば、矩形の端面形状４５ｂを有する支柱４０の基板２１の裏面上における位置の規制は可能である。
【０１３９】
以上、実施の形態、ならびに変形例１および２で説明したように、位置規制部材は、支柱４０の端面４５の周縁を完全に囲むように一連の環状部材としてＬＥＤモジュール２０に配置されていてもよく、一部が欠けた環状部材として配置されてもよい。また、位置規制部材は、離散的に配置された複数の部分で構成されていてもよい。
【０１４０】
なお、位置規制部材が、一部が欠けた環状部材または離散的に配置された複数の部分で構成される場合、位置規制部材が端面４５の周縁を完全に囲む場合よりも、位置規制部材の素材である蛍光体含有樹脂等の材料の使用量を削減することができる。
【０１４１】
（その他）
以上、本発明に係るＬＥＤモジュールおよび電球形ランプについて、実施の形態およびその変形例に基づいて説明したが、本発明は、これらの実施の形態および変形例に限定されるものではない。
【０１４２】
例えば、上記の実施の形態において、位置規制部材２５の断面は半球状である（例えば図４の（ｂ）参照）。しかしながら、位置規制部材２５の断面は半球状である必要はなく、例えば、図７に示すように、位置規制部材２５の断面は矩形であってもよい。また、位置規制部材２５の断面は、矩形以外の多角形であってもよい。
【０１４３】
また、変形例１および２に係る位置規制部材２５ａ〜２５ｇのそれぞれの断面についても同様に、半球状、矩形、または矩形以外の多角形など各種の形状を採用し得る。
【０１４４】
また、実施の形態における位置規制部材２５、ならびに、変形例１および２に係る位置規制部材２５ａ〜２５ｇ（以下、「位置規制部材２５等」という。）は、いずれも、支柱４０の端面４５の形状に応じた部分（位置規制のための部分）以外の部分を有してもよい。
【０１４５】
例えば、図８に示す位置規制部材２５ｈは、外形が矩形であり、中央部分に、支柱４０の端面４５に対応する円形の穴が設けられた構成を有する。
【０１４６】
このように、位置規制部材２５ｈは、その外形が、端面４５の形状に応じた形状ではなく矩形であるが、支柱４０の端面４５の形状に応じた部分（円形穴の部分）を有しているため、支柱４０の基板２１の裏面上における位置の規制は可能である。
【０１４７】
また、位置規制部材２５等はさらに、支柱４０の基板２１の裏面上における回転位置（言い換えると、基板２１の支柱４０に対する回転位置）を規制するための凹部または凸部を有してもよい。
【０１４８】
図９は、回転位置を規制する構成を有する位置規制部材の一例を示す図である。
【０１４９】
例えば、図９の（ａ）に示すように、支柱４０が径方向に突出した突出部４６を有する場合、位置規制部材２５ｉが、突出部４６に対応する凹部２６を有することで、基板２１の支柱４０に対する回転位置（支柱４０の軸回りの回転位置）が規制される。
【０１５０】
この場合、凹部２６は、凹部２６の内部に突出部４６が入ることが可能な形状およびサイズであればよい。
【０１５１】
なお、図９の（ａ）における凹部２６は、円環状の位置規制部材２５ｉにおいて欠いた円弧部分によって形成されている。
【０１５２】
また、突出部４６は、支柱４０の端面４５から径方向に延設された部分を有すればよく、支柱４０の軸方向の全長にわたって形成されていても、当該全長のうちの端面４５側の端部にのみ形成されていてもよい。
【０１５３】
また、例えば、図９の（ｂ）に示すように、支柱４０が、径方向の陥凹部４７を有する場合、位置規制部材２５ｊは、陥凹部４７に対応する凸部２７を有することで、基板２１の支柱４０に対する回転位置が規制される。
【０１５４】
この場合、凸部２７は、陥凹部４７の内部に凸部２７が入ることが可能な形状およびサイズであればよい。
【０１５５】
また、陥凹部４７は、支柱４０の端面４５の周縁から径方向に陥凹状に設けられていればよく、支柱４０の軸方向の全長にわたって形成されていても、当該全長のうちの端面４５側の端部にのみ形成されていてもよい。
【０１５６】
このように、ＬＥＤモジュール２０が、回転位置を規制する構成を有することで、例えば、ＬＥＤモジュール２０の支柱４０への取り付け作業が効率化される。具体的には、例えば、２本のリード線７０（例えば図２参照）をＬＥＤモジュール２０に適切に接続するための、支柱４０に対するＬＥＤモジュール２０の回転位置の決定が容易化される。
【０１５７】
なお、図９では、ＬＥＤモジュール２０が接続される支柱４０の端面４５の全体的な形状が円形である場合について図示している。しかし、端面４５の全体的な形状が円形以外である場合であっても、位置規制部材が凹部２６または凸部２７を有することで、支柱４０とＬＥＤモジュール２０との間の相対的な回転位置を規制することができる。
【０１５８】
また、上記変形例１および２では、支柱４０の端面４５の形状が円形である場合と矩形である場合とにおける、各種の位置規制部材（２５ａ〜２５ｇ）を示した。しかしながら、ＬＥＤモジュール２０が対応可能な支柱４０の端面４５の形状は、円形および矩形に限られず、例えば、矩形以外の多角形であってもよく、曲線部分と直線部分とを含む形状であってもよい。
【０１５９】
また、本実施の形態では、ＬＥＤモジュール２０が備える封止部材２３は、波長変換材として黄色蛍光体粒子を含むとした。つまり、ＬＥＤモジュール２０では、青色ＬＥＤチップ（ＬＥＤ２２）と、黄色蛍光体粒子との組み合わせによって白色光を放出するとした。
【０１６０】
しかしながら、ＬＥＤ２２の発光色と波長変換材の種類との組み合わせはこれに限らない。
【０１６１】
例えば、ＬＥＤモジュール２０は、赤色蛍光体および緑色蛍光体を波長変換材として採用し、これと青色ＬＥＤチップであるＬＥＤ２２とを組み合わせることによりに白色光を放出してもよい。
【０１６２】
また、ＬＥＤ２２として、青色以外の色を発光するＬＥＤチップが採用されてもよい。例えば、ＬＥＤ２２として紫外線発光のＬＥＤチップを用いる場合、波長変換材として採用する蛍光体粒子としては、三原色（赤色、緑色、青色）に発光する各色蛍光体粒子を組み合わせたものが採用される。
【０１６３】
さらに、蛍光体粒子以外の材料が波長変換材として採用されてもよい。例えば、波長変換材として、半導体、金属錯体、有機染料、または顔料など、ある波長の光を吸収し、吸収した光とは異なる波長の光を発する物質を含んでいる材料を用いてもよい。
【０１６４】
また、上記の実施の形態および変形例において、ＬＥＤ２２は、ＬＥＤチップそのものでなくてもよい。ＬＥＤ２２は、例えば、上面が開口したパッケージとパッケージ内に配置されたＬＥＤチップとを備えるＳＭＤ（Ｓｕｒｆａｃｅ  Ｍｏｕｎｔ  Ｄｅｖｉｃｅ）型のＬＥＤであってもよい。
【０１６５】
また、上記の実施の形態において、ＬＥＤモジュール２０の光源である発光素子として、ＬＥＤチップ（ＬＥＤ２２）が採用されるとした。しかしながら、半導体レーザ等の半導体発光素子、有機ＥＬ（Ｅｌｅｃｔｒｏ  Ｌｕｍｉｎｅｓｃｅｎｃｅ）または無機ＥＬ等が、ＬＥＤモジュール２０が備える発光素子として採用されてもよい。
【０１６６】
また、上記の実施の形態では、グローブ１０の大きさは樹脂ケース６０の大きさよりも大きいとした（例えば、図１参照）。しかし、例えば、グローブ１０の大きさを樹脂ケース６０の大きさよりも小さくした電球形ランプにも、上述のＬＥＤモジュール２０等を発光装置として採用することができる。
【０１６７】
また、上記の実施の形態では、ＬＥＤモジュール２０を発光装置として採用した電球形ランプ１について説明した。しかしながら、実施の形態に係るＬＥＤモジュール２０は、基板２１の裏面が支持部材と接続される照明用光源であれば、発光装置として採用可能である。つまり、ＬＥＤモジュール２０は、電球形ランプ以外のランプ（直管形ランプまたは丸形ランプ等）における発光装置、および、ランプ以外の機器における発光装置として採用されてもよい。
【０１６８】
また、本発明は、ＬＥＤモジュール２０を備える照明用光源としてのみならず、当該照明用光源を備える照明装置として実現することもできる。
【０１６９】
例えば、本発明は、上記の電球形ランプ１と、当該電球形ランプ１が取り付けられる点灯器具とを備える照明装置として構成することができる。
【０１７０】
この場合、点灯器具は、照明用光源の消灯および点灯を行うも器具であり、例えば、天井に取り付けられる器具本体と、照明用光源を覆うカバーとを備える。このうち、器具本体は、照明用光源の口金が装着されるとともに照明用光源に給電を行うソケットを有する。
【０１７１】
その他、本発明の趣旨を逸脱しない限り、当業者が思いつく各種変形を本実施の形態および変形例に施したもの、または、実施の形態および変形例における構成要素を組み合わせて構築される形態も、本発明の範囲内に含まれる。
【産業上の利用可能性】
【０１７２】
本発明は、ＬＥＤ等の発光素子を有するランプ、特に、従来の白熱電球等を代替する電球形ランプ等として有用であり、照明装置等における機器の光源として広く利用することができる。
【符号の説明】
【０１７３】
１  電球形ランプ
１０  グローブ
１１  開口部
２０  ＬＥＤモジュール
２１  基板
２３  封止部材
２５、２５ａ、２５ｂ、２５ｃ、２５ｄ、２５ｅ、２５ｆ、２５ｇ、２５ｈ、２５ｉ、２５ｊ  位置規制部材
２６  凹部
２７  凸部
３０  口金
４０  支柱
４５  端面
４５ａ、４５ｂ  端面形状
４６  突出部
４７  陥凹部
５０  支持板
６０  樹脂ケース
６１  第１ケース部
６２  第２ケース部
７０  リード線
８０  点灯回路
【図１】
2014116095.tif 000003
【図２】
2014116095.tif 000004
【図３】
2014116095.tif 000005
【図４】
2014116095.tif 000006
【図５】
2014116095.tif 000007
【図６】
2014116095.tif 000008
【図７】
2014116095.tif 000009
【図８】
2014116095.tif 000010
【図９】
2014116095.tif 000011